(57)【要約】  【課題】どこのどのインターネットテレビを使用しても、インターネットの利用が、登録済の装置と同じようにできるようにする。  【解決手段】テレビ装置は、インターネットの接続に必要な第１のユーザの識別番号（ＩＤ）を含む第１の接続データを記憶した記憶手段を備える。リモートコントローラ３０は、インターネットの接続に必要な第２のユーザの識別番号（ＩＤ）を含む第２の接続データを予め格納したインターネットカードを挿入するカードスロットを有する。テレビ装置は、カードスロットにインターネットカードが挿入されていない場合に、前記記憶手段から与えられた第１の接続データを用いてインターネットを利用させ、かつ、カードスロットにインターネットカードが挿入されている場合に、インターネットカードから与えられた第２の接続データを用いてインターネットを利用させる。  【選択図】  図１
2004260860.tif 000002
【特許請求の範囲】
【請求項１】
インターネットに接続可能なテレビ装置とこのテレビ装置を制御するリモートコントローラとを備えたインターネットテレビであって、
前記テレビ装置は、インターネットの接続に必要な第１のユーザの識別番号（ＩＤ）を含む第１の接続データを記憶した記憶手段を備え、
前記リモートコントローラは、インターネットの接続に必要な第２のユーザの識別番号（ＩＤ）を含む第２の接続データを予め格納したインターネットカードを挿入するカードスロットを有し、
前記テレビ装置は、前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に、前記インターネットカードから与えられた前記第２の接続データを用いてインターネットを利用させる
ことを特徴とするインターネットテレビ。
【請求項２】
インターネットに接続可能なインターネットテレビであって、
インターネットの接続に必要な第１のユーザの識別番号（ＩＤ）を含む第１の接続データを記憶した記憶手段と、
インターネットの接続に必要な第２のユーザの識別番号（ＩＤ）を含む第２の接続データを予め格納したインターネットカードを挿入するカードスロットを有し、
前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に前記インターネットカードから与えられた前記第２の接続データを用いてインターネットを利用させる
ことを特徴とするインターネットテレビ。
【請求項３】
インターネットに接続可能なテレビ装置とこのテレビ装置を制御するリモートコントローラとを備えたインターネットテレビであって、
前記テレビ装置は、インターネットの接続に必要な第１の接続手順（スクリプト）を含む第１の接続データを記憶した記憶手段を備え、
前記リモートコントローラは、インターネットの接続に必要な第２の接続手順（スクリプト）を含む第２の接続データを予め格納したインターネットカードを挿入するカードスロットを有し、
前記テレビ装置は、前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に、前記インターネットカードから与えられた前記第２の接続データを用いてインターネットを利用させる
ことを特徴とするインターネットテレビ。
【請求項４】
インターネットに接続可能なインターネットテレビであって、
インターネットの接続に必要な第１の接続手順（スクリプト）を含む第１の接続データを記憶した記憶手段と、
インターネットの接続に必要な第２の接続手順（スクリプト）を含む第２の接続データを予め格納したインターネットカードを挿入するカードスロットを有し、
前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に前記インターネットカードから与えられた前記第２の接続データを用いてインターネットを利用させる
ことを特徴とするインターネットテレビ。
【請求項５】
前記カードスロットへの前記インターネットカードの挿入に応じて外部設定フラグを記憶する手段を備え、前記外部設定フラグが記憶されていないときは、前記記憶手段から与えられた前記第１の接続データを用いてインターネットを利用させ、かつ、前記外部設定フラグが記憶されているときは、前記インターネットカードから与えられた前記第２の接続データを用いてインターネットを利用させる
ことを特徴とする請求項１から４のいずれかに記載のインターネットテレビ。
【請求項６】
前記テレビ装置の電源が切断されたとき、前記インターネットカードから与えられた前記第２の接続データおよび前記外部設定フラグはクリアされることを特徴とする請求項５記載のインターネットテレビ。
【請求項７】
前記インターネットカードは、その使用により発生する接続時間カウントや使用料金カウントを記憶する情報記入領域を有することを特徴とする請求項１から６のいずれかに記載のインターネットテレビ。
【請求項８】
インターネットに接続する手段と、
テレビ装置と接続する手段と、
リモートコントローラからの指示を受ける手段と、
インターネット通信を実行するインターネットプログラムを予め格納する記憶装置と、
前記インターネットプログラムに従い外部との通信を設定する中央演算装置と、
前記通信により発生するデータをビデオ信号に変換するビデオ回路と、
インターネットの接続に必要な第１のユーザの識別番号（ＩＤ）を含む第１の接続データを記憶した記憶手段とを備え、
前記リモートコントローラは、インターネットの接続に必要な第２のユーザの識別番号（ＩＤ）を含む第２の接続データを予め格納したインターネットカードを挿入するカードスロットを有し、
前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に、前記インターネットカードから与えられた前記第２の接続データを用いてインターネットを利用させる
ことを特徴とするインターネットユニット。
【請求項９】
インターネットに接続する手段と、
テレビ装置と接続する手段と、
リモートコントローラからの指示を受ける手段と、
インターネット通信を実行するインターネットプログラムを予め格納する記憶装置と、
前記インターネットプログラムに従い外部との通信を設定する中央演算装置と、
前記通信により発生するデータをビデオ信号に変換するビデオ回路と、
インターネットの接続に必要な第１のユーザの識別番号（ＩＤ）を含む第１の接続データを記憶した記憶手段と、
インターネットの接続に必要な第２のユーザの識別番号（ＩＤ）を含む第２の接続データを予め格納したインターネットカードを挿入するカードスロットとを備え、
前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に前記インターネットカードから与えられた前記第２の接続データを用いてインターネットを利用させる
ことを特徴とするインターネットユニット。
【請求項１０】
インターネットに接続する手段と、
テレビ装置と接続する手段と、
リモートコントローラからの指示を受ける手段と、
インターネット通信を実行するインターネットプログラムを予め格納する記憶装置と、
前記インターネットプログラムに従い外部との通信を設定する中央演算装置と、
前記通信により発生するデータをビデオ信号に変換するビデオ回路と、
インターネットの接続に必要な第１の接続手順（スクリプト）を含む第１の接続データを記憶した記憶手段とを備え、
前記リモートコントローラは、インターネットの接続に必要な第２の接続手順（スクリプト）を含む第２の接続データを予め格納したインターネットカードを挿入するカードスロットを有し、
前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に、前記インターネットカードから与えられた前記第２の接続データを用いてインターネットを利用させる
ことを特徴とするインターネットユニット。
【請求項１１】
インターネットに接続する手段と、
テレビ装置と接続する手段と、
リモートコントローラからの指示を受ける手段と、
インターネット通信を実行するインターネットプログラムを予め格納する記憶装置と、
前記インターネットプログラムに従い外部との通信を設定する中央演算装置と、
前記通信により発生するデータをビデオ信号に変換するビデオ回路と、
インターネットの接続に必要な第１の接続手順（スクリプト）を含む第１の接続データを記憶した記憶手段と、
インターネットの接続に必要な第２の接続手順（スクリプト）を含む第２の接続データを予め格納したインターネットカードを挿入するカードスロットとを備え、
前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に前記インターネットカードから与えられた前記第２の接続データを用いてインターネットを利用させる
ことを特徴とするインターネットユニット。
【請求項１２】
前記カードスロットへの前記インターネットカードの挿入に応じて外部設定フラグを記憶する手段を備え、前記外部設定フラグが記憶されていないときは、前記記憶手段から与えられた前記第１の接続データを用いてインターネットを利用させ、かつ、前記外部設定フラグが記憶されているときは、前記インターネットカードから与えられた前記第２の接続データを用いてインターネットを利用させる
ことを特徴とする請求項８から１１のいずれかに記載のインターネットユニット。
【請求項１３】
インターネットユニットの電源が切断されたとき、前記インターネットカードから与えられた前記第２の接続データおよび前記外部設定フラグはクリアされることを特徴とする請求項１２記載のインターネットユニット。
【請求項１４】
前記インターネットカードは、その使用に発生する接続時間力ウントや使用料金カウントを記憶する情報記入領域を有することを特徴とする請求項８から１３のいずれかに記載のインターネットユニット。
【発明の詳細な説明】
【技術分野】
【０００１】
この発明は、インターネットテレビに関し、詳しくはプロバイダとの接続を実行するデータを携帯可能なインターネットカードに格納したインターネットテレビとインターネットカードを利用した接続方法に関する。
【背景技術】
【０００２】
従来のインターネットテレビでは、ユーザが自己特定の装置でプロバイダと契約を結び、ユーザ登録をした後に、当該装置によりインターネットに接続している。
【発明の開示】
【発明が解決しようとする課題】
【０００３】
従来のインターネットテレビでは、ユーザ登録をした自己特定の装置でしかインターネットに接続することができなかった。または、別の装置を使用する場合は、装置が異なる毎に、面倒で時間のかかるユーザ登録を最初からしなければならなかった。
【０００４】
この発明では、別装置であるどこのどのインターネットテレビを使用しても、インターネットの利用が、登録済の装置と同じようにできるようにすることを目的にしている。
【課題を解決するための手段】
【０００５】
本発明による第１のインターネットカード付きインターネットテレビは、インターネットに接続可能なテレビ装置とこのテレビ装置を制御するリモートコントローラとを備えたインターネットテレビであって、前記テレビ装置は、インターネットの接続に必要な第１のユーザの識別番号（ＩＤ）を含む第１の接続データを記憶した記憶手段を備え、前記リモートコントローラは、インターネットの接続に必要な第２のユーザの識別番号（ＩＤ）を含む第２の接続データを予め格納したインターネットカードを挿入するカードスロットを有し、前記テレビ装置は、前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に、前記インターネットカードから与えられた前記第２の接続データを用いてインターネットを利用させることを特徴とする。
【０００６】
よって、ユーザは、このインターネットカードのみを持参して、任意のインターネットテレビを使用してインターネットの接続を実行することができる。
【０００７】
本発明による第２のインターネットテレビは、インターネットに接続可能なインターネットテレビであって、インターネットの接続に必要な第１のユーザの識別番号（ＩＤ）を含む第１の接続データを記憶した記憶手段と、インターネットの接続に必要な第２のユーザの識別番号（ＩＤ）を含む第２の接続データを予め格納したインターネットカードを挿入するカードスロットを有し、前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に前記インターネットカードから与えられた前記第２の接続データを用いてインターネットを利用させる。この第２のインターネットテレビでは、テレビ装置に設けられたカードスロットにインターネットカードを挿入する点で第１のインターネットテレビと異なる。
【０００８】
前記インターネットテレビにおいて、前記カードスロットへの前記インターネットカードの挿入に応じて外部設定フラグを記憶する手段を備え、前記外部設定フラグが記憶されていないときは、前記記憶手段から与えられた前記第１の接続データを用いてインターネットを利用させ、かつ、前記外部設定フラグが記憶されているときは、前記インターネットカードから与えられた前記第２の接続データを用いてインターネットを利用させることができる。この場合、好ましくは、前記テレビ装置の電源が切断されたとき、前記インターネットカードから与えられた前記第２の接続データおよび前記外部設定フラグはクリアされる。
【０００９】
前記インターネットカードは、その使用により発生する接続時間カウントや使用料金カウントを記憶する情報記入領域を有してもよい。
【００１０】
前記第１および第２の接続データは、インターネットの接続に必要な接続手順（スクリプト）を含んでもよい。
【００１１】
前記接続データはさらに前記ユーザの電子メールアドレスを含んでもよい。
【００１２】
前記インターネットカードはさらに前記インターネットプロバイダの複数の接続先地域とその電話番号を記憶し、前記テレビ装置はこれらの電話番号から選択された電話番号を利用して前記インターネットプロバイダへの接続を行うことができる。
【００１３】
本発明によるインターネットユニットは、インターネットに接続する手段と、テレビ装置と接続する手段と、リモートコントローラからの指示を受ける手段と、インターネット通信を実行するインターネットプログラムを予め格納する記憶装置と、前記インターネットプログラムに従い外部との通信を設定する中央演算装置と、前記通信により発生するデータをビデオ信号に変換するビデオ回路と、インターネットの接続に必要な第１のユーザの識別番号（ＩＤ）を含む第１の接続データを記憶した記憶手段とを備え、前記リモートコントローラは、インターネットの接続に必要な第２のユーザの識別番号（ＩＤ）を含む第２の接続データを予め格納したインターネットカードを挿入するカードスロットを有し、前記カードスロットに前記インターネットカードが挿入されていない場合に、前記記憶手段から与えられた前記第１の接続データを用いてインターネットを利用させ、かつ、前記カードスロットに前記インターネットカードが挿入されている場合に、前記インターネットカードから与えられた前記第２の接続データを用いてインターネットを利用させることを特徴とする。
【発明を実施するための最良の形態】
【００１４】
実施の形態１．図１において、インターネットテレビ５はテレビ装置に製作時点にインターネットの受信に必要な回路を、インターネット回路２６として予め組み込んだものである。インターネットテレビ５には電話回線２を受けるモジュラージャック７が設けられている。インターネットテレビ５の正面には赤外線の受光部３３が配置され、別体のリモートコントローラ３０はインターネットテレビ５に各種の操作信号を赤外線を介し送信する。
【００１５】
リモートコントローラ３０はＩＣカード用の挿入口のスロット２１を備え、スロット２１にインターネットカード２４が装着可能である。インターネットカード２４はＩＣカードメモリから構成され、予め書き込まれたデータとこれからデータが書き込まれる空き領域を備えている。図３のインターネット回路２６において、受光部３３は赤外線信号をデジタル信号に変換してＣＰＵ１０に送る。
【００１６】
図３でインターネット回路２６の内部構成を例をあげて説明する。モジュラージャック７はモデム８に接続され、モデム８はデータをメモリＲＡＭ２３に送り、ＲＡＭ２３のデータからボタン割付装置プログラムＲＯＭ２７がボタン割付情報を解釈する。また、メモリＲＡＭ２３にはリモートコントローラ３０から受信する外部設定フラグ９と外部ダイヤルデータ１５とが格納される。
【００１７】
ＣＰＵ１０にはバスを介してインターネットの起動プログラムＲＯＭ１１とダイヤルプログラムＲＯＭ１２とナビゲータプログラムＲＯＭ１３とオーディオコントローラ１６と移動リスト作成プログラムＲＯＭ１７とボタン割付装置プログラムＲＯＭ２７と文字フォントメモリ１８が接続されている。
【００１８】
まず、起動プログラムＲＯＭ１１には、起動プログラム３６と内外使い分けプログラム３７とが予め記憶されている。内外使い分けプログラム３７はＲＡＭ２３の記憶域に外部設定フラグ９があれば、外部ダイヤルデータ１５を使用する。
【００１９】
ダイヤルプログラムＲＯＭ１２には、インターネットプロバイダの電話番号や手続きプログラムが、予め記憶されている。文字フォントメモリ１８には文字や記号のパターンが記憶され、ＣＰＵ１０は文字や記号のコードから文字フォントのイメージパターンを出力する。
【００２０】
移動リスト作成プログラムＲＯＭ１７は、ホームページ内の選択位置（通常、アンダーライン付き文字や色付き文字や枠付きの絵で表現する）を検出し、その結果をＲＡＭ２３に一時記憶する。従って、移動リスト作成プログラムＲＯＭ１７は画面毎に変わるホームページのデータから、対応したカーソルの移動パターンを抽出する。
【００２１】
次に、ボタン割付装置プログラムＲＯＭ２７は、ホームページ内の選択項目（通常、アンダーライン付き文字や色付き文字や枠付きの絵で表現する）とリモコンボタンとの対応づけの定義を検出し、その結果を内部ＲＡＭ２３に一時記憶する。従って、ボタン割付装置プログラムＲＯＭ２７は画面毎に変わるホームページの選択項目データから、対応したリモコンボタンをそれぞれ抽出するものとなる。ＣＰＵ１０には、また、オーディオコントローラ１６とビデオ制御回路１４がバスを介し接続され、オーディオコントローラ１６は音素データを発生する。この音素データは、テレビ装置５のオーディオ入力に送られる。
【００２２】
ビデオ制御回路１４は、ＣＰＵ１０から送られてくる文字パターンや画像のデジタルデータを、ビデオＲＡＭ３４を使用して表示信号（イメージデータ）に変換し、アナログビデオ信号はダイナミックＲＡＭ５０を介して、ビデオ回路に送られ、テレビ装置５に表示される。
【００２３】
次に、リモートコントローラ３０の外観について図４で説明する。箱体の側面には挿入口のスロット２１が形成されており、このスロット２１にインターネットカード２４が装着できる。上面の上半分にはテレビ用のスイッチボタン群４０があり、そこには電源ボタン、ビデオ／テレビボタン、数字のチャンネルボタン５８等が配置される。また下半分にはインターネット用のスイッチボタン群４１があり、そこにはスクロール上４２、スクロール下４３、カーソル移動ボタン４４、実行ボタン４５、中止ボタン４６、戻ボタン４７、進ボタン４８、URL （アドレス）ボタン４９、メニューボタン５０等が設けられている。
【００２４】
リモートコントローラ３０の内部構成を図２で説明する。ＣＰＵ３４にはバス３６を介し発光部３１とボタン制御部２７、ＩＣコネクタ２９と前述のスイッチボタン群４０、４１が接続されている。スロット２１から入るインターネットカード２４は、端子部２８がＩＣコネクタ２９に接続可能である。インターネットカード２４は、インターネットプロバイダの電話番号とユーザの識別番号とパスワードと、その他電子メールアドレスなどの接続データ（第２の接続データ）を記憶した半導体メモリである。
【００２５】
インターネットカード２４にはインターネットの接続に必要なプロバイダの情報（外部ダイヤルデータ）や、その他所有者（操作人）の個人情報が記憶され、また情報記入領域が設けられている。プロバイダの情報には、プロバイダ名と複数の接続先地域とその電話番号と、接続手順（スクリプト）とオンラインサインアッププログラム等がある。
【００２６】
個人情報には、加入しているプロバイダに対する識別番号（ＩＤ）とパスワードと電子メールアドレスや住所等がある。情報記入領域には、このインターネットカード２４使用により発生する接続時間カウントや使用料金カウントを記憶する。
【００２７】
さて、例えば、旅行先に自己のインターネットカード２４を持参し、ホテルの部屋にインターネットテレビ５があるものとする。図１、２、３、４において、電話回線２のジャック６をインターネットテレビ５のジャック７に差し込み、リモートコントローラ３０のスロット２１にインターネットカード２４を挿入する。手元のリモートコントローラ３０の電源ボタンを押すとインターネットテレビ５の受光部３３がこの信号を受信し、インターネットテレビ５の電源がオンされる。
【００２８】
実行ボタン４５を押すと、インターネットカード２４から外部設定フラグ９と、プロバイダ名と複数の接続先地域とその電話番号と、接続手順（スクリプト）とプロバイダに対する識別番号（ＩＤ）とパスワードと電子メールアドレスとがインターネットテレビ５に赤外線信号になって送られる。プロバイダ名等のデータは、接続データとしての外部ダイヤルデータ１５である。
【００２９】
インターネットテレビ５では、外部設定フラグ９とこれら接続データを受光部３３で受信し、ＣＰＵ１０によりＲＡＭ２３の空き領域に外部設定フラグ９と外部ダイヤルデータ１５として格納する。さて、内外使い分けプログラム７は外部ダイヤルデータ１５と外部設定フラグ９がＲＡＭ２３に記憶されているので、外部データの使用を決定する。またＣＰＵ１０はＲＡＭ２３上にダイヤルプログラムＲＯＭ１２から展開されたダイヤルプログラムに、これら受信したプロバイダ名と複数の接続先地域とその電話番号等の接続データを渡す。
【００３０】
ダイヤルプログラムにより、インターネットテレビ５の画面には、例えばプロバイダ”ｍｅｓｈｎｅｔ”の北海道から東京、沖縄までの接続先地域とその電話番号が表示される。操作人は今いる場所に最も近い地域とその電話番号を、リモートコントローラ３０の操作ボタンにより選択し、ＲＡＭ２３に送る。
【００３１】
起動プログラム１１が起動して、ＣＰＵ１０は例えば、図７のような起動画面データを読み出し、テレビ装置５の画面に表示する。画面では、カーソル１９は最初、画面の１ダイヤルの文字位置に表示されようになっている。
【００３２】
そこで、ユーザーがリモートコントローラ３０の実行ボタン４５を押すと、ＣＰＵ１０はＲＡＭ２３の外部ダイヤルデータ１５に含まれるプロバイダの電話番号宛に、モデム８によりダイヤルする。番号データは、モジューラジャク７、プラグ６、電話回線２を介して外部のプロバイダに送られ、インターネットテレビ５とプロバイダとの回線が接続される。
【００３３】
プロバイダからは所定のプロトコルに従い、インターネットテレビに対し発呼者のＩＤ番号とパスワードの問い合わせが来る。ＣＰＵ１０はダイヤルプログラムに従い外部ダイヤルデータ１５に含まれるＩＤ番号とパスワードにより応答し、プロバイダとインターネットテレビ５とがデータ通信可能な状態になり、接続中のアイコン等がテレビ５の画面の一部に表示される。
【００３４】
ユーザはインターネットテレビ５の活用について、記入領域にこのインターネットカード２４の使用により発生する接続時間カウントや使用料金カウントを記憶し、使用料金やその他時間帯を後で把握する。
【００３５】
インターネットでのデータ通信が終了し、リモートコントローラ３０の電源ボタンを押すとインターネットテレビ５の電源が切れて、ＲＡＭ２３上の外部設定フラグと外部ダイヤルデータ１５の外部データはクリアされる。
【００３６】
次に、リモートコントローラ３０のスロット２１からインターネットカード２４を抜き出した状態の動作を説明する。このホテルのインターネットテレビ５の所有者が、リモートコントローラ３０の電源ボタンを押すと、外部設定フラグが送信されないので、ダイヤルプログラムＲＯＭ１２は、第１の接続データを用いて、自己のプロバイダの電話番号に電話をかけ、自局のＩＤ番号とパスワードで応答する。
【００３７】
また、納品したばかりのインターネットテレビ５や、プロバイダ登録を消去したインターネットテレビ５の場合は、リモートコントローラ３０のスロット２１にインターネットカード２４を挿入し、オンラインサインアッププログラムをインターネットテレビ５に送る。ＣＰＵ１０はＲＡＭ２３からオンラインサインアッププログラムを読み出し、所定のプロバイダと交信して、登録することができる。
【００３８】
実施の形態２．次に、図５、６において、セットトップボックス版、外付け型のインターネットテレビを説明する。普通のテレビ装置３５上にはインターネットユニット１が設置され、インターネットユニット１には電話回線２を受けるモジュラージャック７が設けられ、更に挿入口のスロット３９が形成されている。
【００３９】
このスロット３９には実施の形態１と同じインターネットカード２４が挿入される。インターネットユニット１の正面には赤外線の受光部３２が配置され、別体のリモートコントローラ３０の発光部３１から届く信号を受信できる。
【００４０】
電話回線２のモジュラープラグ６がこのジャック７には接続可能であり、またインターネットユニット１とテレビ装置３５とは所定のビデオ線とオーディオ線により接続されている。電話回線２とテレビ装置３５とインターネットユニット１とでインターネットテレビ５を構成する。
【００４１】
図６でインターネットユニット１の内部構成を例をあげて説明する。モジュラージャック７はモデム８に接続され、モデム８はデータをシリアルコントロ−ラ４９を介してメモリＲＡＭ２３に送り、ＲＡＭ２３のデータからボタン割付装置プログラムＲＯＭ２７がボタン割付情報を解釈する。
【００４２】
ＣＰＵ１０にはバス４７を介してインターネットの起動プログラムＲＯＭ１１とダイヤルプログラムＲＯＭ１２とナビゲータプログラムＲＯＭ１３と移動リスト作成プログラムＲＯＭ１７とボタン割付装置プログラムＲＯＭ２７と文字フォントメモリ１８とＩＣコネクタ２９が接続されている。スロット３９から入るインターネットカード２４は、その端子部２８がＩＣコネクタ２９に接続可能である。インターネットカード２４は実施の形態１と同様な構成で、記憶された接続データも同一である。
【００４３】
まず、起動プログラムＲＯＭ１１には起動プログラム３６と内外使い分けプログラム３７とが予め記憶されている。ダイヤルプログラムＲＯＭ１２と文字フォントメモリ１８には実施の形態１と同様な内容が記憶されている。
【００４４】
移動リスト作成プログラムＲＯＭ１７とボタン割付装置プログラムＲＯＭ２７の機能内容も実施の形態１と同様である。ビデオ制御回路１４は、バス４７から送られてくる文字パターンや画像のデジタルデータを、ビデオＲＡＭ３４を使用して表示信号（イメージデータ）に変換し、フリッカー防止回路１５に送る。
【００４５】
フリッカー防止回路１５はスキャンコンバートを実行し、ビデオ信号のチラツキを防止する。フリッカー防止回路１５からの信号は、Ｄ／Ａ変換回路２２に送られる。Ｄ／Ａ変換回路２２は、 NTSC または PAL のアナログビデオ信号、安定したビデオ信号をビデオ入力線３を介し、テレビ装置３５に送る。
【００４６】
さて、実施の形態１と同様に、旅行先に自己のインターネットカード２４を持参し、ホテルの部屋にインターネットテレビ５があるものとする。インターネットユニット１のスロット３９にインターネットカード２４を挿入した後、リモートコントローラ３０の電源ボタンを押す。インターネットカード２４から外部設定フラグ９がＣＰＵ１０により読み出されＲＡＭ２３に記憶される。
【００４７】
さて、内外使い分けプログラム３７はＲＡＭ２３に外部設定フラグ９が記憶されているので、インターネットカード２４内の接続データの使用を決定する。またＣＰＵ１０は、ＲＡＭ２３上にダイヤルプログラムＲＯＭ１２から展開されたダイヤルプログラムに、インターネットカード２４からＩＣコネクタ２９を介しプロバイダ名等の接続データを渡す。
【００４８】
途中の動作は実施の形態１と同じであり、省略する。次に、プロバイダからは所定のプロトコルに従い、インターネットテレビ５に対し発呼者のＩＤ番号とパスワードの問い合わせが来る。ＣＰＵ１０は、内外使い分けプログラム３７に従いインターネットカード２４にあるＩＤ番号とパスワードにより応答し、プロバイダとインターネットテレビ５とがデータ通信可能な状態になり、接続中のアイコン等がテレビ５の画面に表示される。その後の動作は実施の形態１と同様であるので、説明は省略する。
【００４９】
インターネットでのデータ通信が終了し、リモートコントローラ３０の電源ボタンを押すとインターネットユニット１の電源が切れて、ＲＡＭ２３上の外部設定フラグ９はクリアされる。インターネットユニット１のスロット３９からインターネットカード２４を抜き出し、後でホテルのインターネットテレビ５の所有者が電源ボタンを押すと、外部設定フラグ９がクリアされているので、ダイヤルプログラムは自己のプロバイダの電話番号に電話をかけ、自己のＩＤ番号とパスワードで応答する。
【００５０】
また、納品したばかりのインターネットユニット１や、プロバイダ登録を消去したインターネットユニット１の場合は、インターネットユニット１のスロット３９にインターネットカード２４を挿入し、インターネットカード２４からオンラインサインアッププログラムを読み出し、所定のプロバイダと交信して、登録することができる。
【００５１】
実施の形態３．図８において、実施の形態１と同型のインターネット回路を組み込んだテレビ装置や、実施の形態２と同型のセットトップボックス版のテレビ装置にスロット３８を形成したものを示す。インターネットカード２４は実施の形態１、２と同様な構成で、記憶された接続データも同一である。実施の形態１と同型のテレビ装置の場合は、インターネットカード２４が結合する内部のコネクタ２９はテレビ装置内にあるバス４７に直接接続され、リモコン側にカードスロットは不要となる。実施の形態２と同型のテレビ装置の場合は、インターネットカード２４が結合する内部のコネクタ２９は、テレビ装置内に配線された内部バスを介してセットトップボックス内にあるバス４７に接続され、リモコン側にカードスロットは不要となる。
【００５２】
この発明は、リモコン側にカードスロットを設け、インターネットテレビで動作するプログラムやデータを格納しておき、赤外線でインターネットテレビに転送し、インターネットテレビでプログラムを実行し、データを使用して、インターネットに接続する。従って、インターネットカード２４さえ持っていたら、どこのどのインターネットテレビでも利用可能となる。また、パソコンなどの赤外線ポートを持った電子機器とリモコンとの間でデータやプログラムの転送が可能となる。
【図面の簡単な説明】
【００５３】
【図１】この発明のインターネットテレビの実施の形態１の全体を示す図である。
【図２】この発明のインターネットテレビの実施の形態１のリモートコントローラのブロック回路図である。
【図３】この発明の実施の形態１のインターネットテレビの要部のブロック例の図である。
【図４】この発明のインターネットテレビのリモートコントローラの外観図である。
【図５】この発明のインターネットテレビの実施の形態２の全体の外観を示す図である。
【図６】この発明の実施の形態２のインターネットテレビの要部のブロック例の図である。
【図７】この発明のインターネットテレビの初期メニュー画面の例を示す図である。
【図８】この発明のインターネットテレビの実施の形態３の全体を示す図である。
【符号の説明】
【００５４】
１  インターネットユニット
２  電話回線
３  ビデオ線
４  オーディオ線
５  テレビ装置
８  モデム
９  外部設定フラグ
１０  ＣＰＵ
１１  起動プログラムＲＯＭ
１２  ダイヤルプログラムＲＯＭ
１３  ナビゲータプログラムＲＯＭ
１４  ビデオ制御回路
１５  外部ダイヤルデータ
１６  オーディオコントローラ
１７  移動リスト作成プログラムＲＯＭ
１８  文字フォントメモリ
１９  カーソル
２０  Ｄ／Ａ変換回路
２１、３８、３９  スロット
２２  Ｄ／Ａ変換回路
２３  ＲＡＭ
２４  インターネットカード
２５  テレビ回路
２６  インターネット回路
２７  ボタン割付装置プログラムＲＯＭ
２８  端子部
２９  コネクタ
３０  リモートコントローラ
３１  発光部
３２、３３  受光部
３４  ビデオＲＡＭ
３５  テレビ装置
３６  起動プログラム
３７  内外使い分けプログラム
４０  テレビ用ボタン群
４１  インターネット用ボタン群
４２  スクロール上
４３  スクロール下
４４  移動ボタン
４５  実行ボタン
４６  中止ボタン
４７  バス
４９  ＵＲＬ（アドレス）ボタン
５０  ダイナミックＲＡＭ
【図１】
2004260860.tif 000003
【図２】
2004260860.tif 000004
【図３】
2004260860.tif 000005
【図４】
2004260860.tif 000006
【図５】
2004260860.tif 000007
【図６】
2004260860.tif 000008
【図７】
2004260860.tif 000009
【図８】
2004260860.tif 000010